(57)【要約】【課題】基台上に置かれたタイルに対し、回転刃による切れ目入れから、押圧板によるタイルの押し割りまでの一連の作業が、操作レバーの操作だけで確実にできる使い勝手のよいタイルカッターを提供する。【解決手段】基台１上で、ガイドレール４に案内にされて移動する操作レバー７を有し、操作レバー基部９に、基台１上に置かれたタイル面に切れ目を入れる回転刃１０と、タイルＴを押し割りする押圧板１１を備えたタイルカッターにおいて、前記押圧板１１が、中央部に空所１４を形成して左右に分離され、左右の押圧板１１の対向端部上に支持部１５を形成し、両方の支持部１５の後部をコ字状連結部１６で連結してなり、該押圧板１１を、回転刃１０の支軸近傍で操作レバー基部に軸支し、押圧板１１が垂下姿勢を採る時に、空所１４内に回転刃１０を含め操作レバー基部９を入り込ませる。【選択図】        図１ 
2005041179.tif 000002
【特許請求の範囲】
【請求項１】
基台上に突起条を設け、該突起条上方にガイドレールを架設し、該ガイドレールに案内にされて移動する操作レバーを有し、該操作レバー基部に、基台上に置かれたタイル面に切れ目を入れる回転刃と、切れ目を境にタイル面両側を押圧してタイルを押し割りする押圧板を備えたタイルカッターにおいて、前記押圧板が、中央部に空所を形成して左右に分離され、左右の押圧板の対向する端部上に支持部を形成し、両方の支持部の後部をコ字状連結部で一体に連結してなり、該押圧板を、回転刃の支軸近傍で操作レバー基部に上下揺動自在に軸支し、押圧板が垂下姿勢を採る時に、空所内に回転刃を含め操作レバー基部を入り込ませることを特徴とするタイルカッター。
【請求項２】
操作レバー基部に対し押圧板を軸支する支軸の位置を、回転刃を軸支する支軸より上方で僅かに後方にずらした位置に設定したことを特徴とする請求項１記載のタイルカッター。
【発明の詳細な説明】
【技術分野】
【０００１】
本発明は、建築用資材として壁や床等に貼り付けて仕上げる陶磁器製のタイルを切断するタイルカッターに関するものである。
【背景技術】
【０００２】
従来より、タイルを所定寸法に切断するタイルカッターとして、基台上に直線状の突起条を設け、該突起条上方にガイドレールを架設し、該ガイドレールに案内されて移動自在に操作レバーを設け、該操作レバー基部に回転刃と押圧板を前後して軸支した構成のタイルカッターが本出願人によって提案されている（例えば、特許文献１参照）。
【０００３】
このタイルカッターを使用してタイルを切断するには、タイルの切断予定線を突起条に合わせてタイルを基台上に置き、操作レバーを操作して先に回転刃をタイル面に押圧的に回転移動させて切れ目を入れ、次いで回転刃をタイル上から外した状態で、タイル面に押圧板を押当して切れ目を境にタイルを押し割りするものである。
【特許文献１】実用新案登録第２５０２３２４号公報。
【発明の開示】
【発明が解決しようとする課題】
【０００４】
前記する特許文献１に開示されたような構成のタイルカッターでは、タイル面に押圧的に回転移動させて切れ目を入れる回転刃は、操作レバー基部の下端に軸支され、切れ目を境にタイルを押し割りする押圧板は、回転刃の後方に位置して操作レバー基部に上下揺動自在に軸支されている。
【０００５】
そして、実際のタイルの切断作業では、作業に先だって、作業員の手で押圧板は上向きに回動させて引き上げ位置に邪魔にならないように止めておき、この状態で回転刃をタイル面に押当移動させて切れ目を入れ、切れ目が入いると、作業員の手で引き上げ位置から押圧板を降ろしてタイル端部に位置決めして当て、操作レバーを回動操作して切れ目を境にタイルの押し割りするものである。この場合、押圧板の取り扱いには、作業員の手による上げ降ろしを必要とし、また、操作レバー基部に軸支された回転刃と押圧板が前後して離れている構成からすると、回転刃でタイル面に切れ目を入れ終わった後に、作業員の手で降ろされた押圧板を、タイル端部の所定の位置に当てられるようにするには、ガイドレール上で操作レバー全体を微調整的に移動させて位置決めをしなければならないもので、これが作業性に影響を与える。
本発明は、このような事情に鑑みてなされたもので、タイルを基台上の定位置に置いた後の、回転刃によるタイル面への切れ目入れから、押圧板によるタイルの押し割りまでの一連の作業を、操作レバーの操作だけで能率よく確実にできるようにし、使い勝手の良いタイルカッターを提供することを目的としたものである。
【課題を解決するための手段】
【０００６】
前記目的を達成するために、本発明に係るタイルカッターは、基台上に突起条を設け、該突起条上方にガイドレールを架設し、該ガイドレールに案内にされて移動する操作レバーを有し、該操作レバー基部に、基台上に置かれたタイル面に切れ目を入れる回転刃と、切れ目を境にタイル面両側を押圧してタイルを押し割りする押圧板を備えたタイルカッターにおいて、前記押圧板が、中央部に空所を形成して左右に分離され、左右の押圧板の対向する端部上に支持部を形成し、両方の支持部の後部をコ字状連結部で一体に連結してなり、該押圧板を、回転刃の支軸近傍で操作レバー基部に上下揺動自在に軸支し、押圧板が垂下姿勢を採る時に、空所内に回転刃を含め操作レバー基部を入り込ませることを特徴とする。
【０００７】
このように構成された本発明のタイルカッターによれば、タイルの切断予定線を突起条の上に合致させてタイルを基台上に置き、操作レバーを操作して回転刃をタイルの一方の縁部からタイル面に回転刃を押当移動させると、タイル面に切れ目が入る。この時に、押圧板はタイル面上を引きづられ付いてくる。こうしてタイル面に切れ目を入れ終えた時点で、操作レバーを上向きに回動操作すると、押圧板がタイル面上に引き上げられて垂下姿勢を採り、回転刃を含め操作レバー基部が凹部内に入り込むので、そのままに操作レバーを下向きに回動操作すると、押圧板下面がタイル面に押当されてタイルは切れ目を境に押し割りされる。従って、本発明に係るタイルカッターによれば、タイルを基台上の定位置に置いた後は、操作レバーの操作だけで、タイル面への切れ目入れからタイルの押し割りまでの一連の作業が能率よく確実にできる。
【０００８】
また、前記構成のタイルカッターにおいて、操作レバー基部に対し押圧板を軸支する支軸の位置を、回転刃を軸支する支軸より上方で僅かに後方にずらした位置に設定すると、回転刃をタイル面に押当移動させてタイル面への切れ目入れを終えると同時に回転刃の移動を止め、この位置で操作レバーを回動操作して押圧板をタイル面上に引き上げて垂下姿勢を採らせると、次ぎの操作レバーの回動操作で押圧板下面がタイル面に押当される位置は、タイルを押し割るのに適正位置とされるので、作業性の良い確実なタイルの押し割りを実現する。
【０００９】
また、切れ目の入ったタイルを押し割りする直前で、切れ目入れを終えた回転刃は垂下姿勢を採る押圧板の空所内に入り込み、側面視において両者はほぼ重なり合い、梃子の作用でタイルを押し割りする押圧板の作用点を、支点とされる操作レバー基部のヒンジ結合部に接近させるので、力点とされる操作レバーの把持部に掛ける作業員の力を倍加して押圧板はタイルを押し割りするようになる。従って、従来のタイルカッターのように、操作レバー基部に対して回転刃と押圧板が前後して離れている構成のものに比べて、タイルの材質、厚さ及び大きさ等に関係なく軽い力で効率よく確実なタイルの押し割りを実現する。また、形態的にもコンパクトにでき、しかも、操作レバーの回動操作範囲も拡大されて操作性が良く、使い勝手の良いタイルカッターを提供できる。
【発明の効果】
【００１０】
本発明に係るタイルカッターによれば、タイルの切断予定線を突起条の上に合致させてタイルを基台上に置き、操作レバーを操作して回転刃をタイル面に押当移動させて切れ目を入れ、切れ目を入れ終えた時点で操作レバーを回動操作するだけで、操作レバー基部に軸支した押圧板下面をタイル面に押当してタイルを切れ目を境に押し割りするので、タイル面への切れ目入れからタイルの押し割りまでの一連の作業が、梃子の作用を巧みに利用して能率よく確実にできて作業性を向上できる。
、また、回転刃を含め操作レバー基部を押圧板に設けた凹部内に入り込み自在にしたので、操作レバーの回動操作範囲が拡大されて操作性を向上し、取り扱い易く、使い勝手の良いタイルカッターが提供できる。
【発明を実施するための最良の形態】
【００１１】
以下、本発明の実施例に係るタイルカッターについて、図面を参照しながら具体的に説明する。
【実施例１】
【００１２】
図１は本発明に係るタイルカッターの全体斜視図、図２は操作レバー基部における回転刃及び押圧板の取着部を示す正面図、図３は押圧板の後方側から見た斜視図である。
【００１３】
図において、１は略長方形状をなす基台で、中央長手方向に突起条２を有し、突起条２の両側に突起条２と略同じ高さで弾性シート３を貼着してタイル載置面を形成している。４は基台１の前後部に立設した支持台５に支持され、突起条２の上方に位置して架設したガイドレール、６はガイドレール４に移動自在に設けた移動台、７は移動台６にはヒンジ結合８した操作レバーで、操作レバー７の基部９は操作レバー７と所定の角度でガイドレール４下方に延び、基部９の下端には、基台１上に置かれたタイル面に切れ目を入れる回転刃１０と、基台１上に置かれたタイルを押し割りする押圧板１１を、それぞれ支軸１２，１３を介して軸支している。
【００１４】
前記回転刃１０は、タングステンカーバイトなどの超硬合金で作られ、図２に示すように、周縁に断面Ｖ状をなす両刃形の刃先１０ａを形設したもので、支軸１２回りを遊転するようにしている。
【００１５】
前記押圧板１１は、図２及び図３に示すように、中央部に空所１４を形成して左右に分離され、この分離された左右の押圧板１１の対向する端部上に、空所１４を挟んで支軸通孔１３ａを有する支持部１５を形成し、この両方の支持部１５の後部をコ字状連結部１６で一体に連結したもので、空所１４をこのコ字状連結部１６内まで拡張し、また、左右に分離された押圧板１１下面にはゴム製の押圧パッド１７が取着され、押圧板１１としてはパッド１７部だけが取り扱われるタイルに当てられるようにしている。
【００１６】
また、操作レバー基部９への押圧板１１の取着には、回転刃１０の支軸１２より上方で僅かに後方にずらした位置で支軸通孔１３ａに支軸１３を挿通して上下揺動自在に軸支し、常態において、支軸１３を介して垂下姿勢を採る状態では、操作レバー基部９の下端部が回転刃１０を含めて空所１４内に入り込み、押圧板１１のパッド下面１７ａは回転刃１０の刃先１０ａよりも低い位置を採るようにしている。
【００１７】
上記構成からなる本発明の使用法を、図４〜図６を参照しながら説明する。
【００１８】
操作レバー７を持ち上げた状態で、タイルＴの切断予定線を突起条２の上に合致させてタイルＴを基台１上に置く。操作レバーを降ろし、回転刃１０をタイルＴの一方の縁部からタイル面に押し当て、この状態を保って回転刃１０を押当移動させてタイル面に所定の深さで切り込み溝状の切れ目を入れる。
【００１９】
なお、回転刃１０がタイルＴの一方の縁部からタイル面への押当移動を開始するまでは、押圧板１１は操作レバー基部９に対し垂下姿勢を採っているが、回転刃１０がタイル面への押当移動を開始して直後に、押圧板１１は操作レバー基部９にによりタイル面上に乗せられて引きずられる形で移動する。この場合、タイル面には、押圧板１１のゴム製のパッド１７部だけが当たるので、何のトラブルも発生しない。
【００２０】
図４に示すように、回転刃１０がタイル面を押圧移動してタイルＴの他方の縁部に達して切れ目入れを終えると、図５に示すように、操作レバー７を上向きに回動操作して回転刃１０をタイルＴ上に引き上げると、回転刃１０後方にあって押圧板１１がタイル面上に引き上げられて垂下姿勢を採り、切れ目入れを終えた回転刃１０は押圧板１１の空所１４内に入り込み、押圧板１１は移動台６に対する操作レバー７のヒンジ結合８部側に近づけられるので、そのまま図６に示すように、操作レバー７を下向きに回動操作すると、垂下姿勢を採る押圧板１１の下面、すなわち、パッド下面１７ａがタイル面に押当される。この状態で操作レバー７の操作力を強めると、梃子の作用で押圧板１０の押圧力は倍加されてタイルＴは、突起条２の両側に切れ目を境に確実に押し割りされる。
【産業上の利用可能性】
【００２１】
本発明に係るタイルカッターによれば、建築現場の壁や床等に張り付けられる陶磁器製タイルを必要とする大きさに現場作業として確実に切断することができて、作業能率の向上が図られる。また、本発明に係るタイルカッターは、使用上の巧拙がなく、誰でも簡単に思い通りにタイルの切断ができるので、作業現場に持ち込んでタイル貼り作業を効率よく遂行する上で有用なものである。
【図面の簡単な説明】
【００２２】
【図１】本発明に係るタイルカッターの全体斜視図である。
【図２】操作レバー基部における回転刃及び押圧板の取着部を示す正面図である。
【図３】押圧板の後方側から見た斜視図である。
【図４】タイルの押し割り要領を説明する要部の側面図である。
【図５】タイルの押し割り要領を説明する要部の側面図である。
【図６】タイルの押し割り要領を説明する要部の側面図である。
【符号の説明】
【００２３】
１  基台
２  突起条
３  弾性シート
４  ガイドレール
５  支持台
６  移動台
７  操作レバー
８  ヒンジ結合
９  操作レバー基部
１０  回転刃
１０ａ  刃先
１１  押圧板
１２  支軸
１３  支軸
１３ａ  支軸通孔
１４  空所
１５  支持部
１６  コ字状連結部
１７  押圧パッド
１７ａ  パッド下面
【図１】
2005041179.tif 000003
【図２】
2005041179.tif 000004
【図３】
2005041179.tif 000005
【図４】
2005041179.tif 000006
【図５】
2005041179.tif 000007
【図６】
2005041179.tif 000008